(57)【特許請求の範囲】
【請求項１】
斜めに貫通する設置穴が開けられた壁の厚みより短く前記設置穴の径より小さい円筒からなり前記設置穴に挿入されるとともに弾性変形が可能な第１ガイド筒部、この筒部の一端部外周に外側に張り出して設けられ前記壁の一面に固定される第１フランジ部、及び前記第１ガイド筒部の外周面にこの筒部の軸方向に間隔的に設けられるとともに前記第１ガイド筒部の周方向に連続する断面三角形状の突条からなる複数の引掛り部を有する第１鞘管ガイドと、
前記第１ガイド筒部より大径で前記壁の厚みより短い円筒からなり前記設置穴に挿入されて前記第１ガイド筒部に嵌合するとともに弾性変形が可能な第２ガイド筒部、この筒部の一端部外周に外側に張り出して設けられ前記壁の他面に固定される第２フランジ部、及び前記第２ガイド筒部の先端部内周面にこの筒部の周方向に連続して設けられるとともに断面三角形状の突条からなり前記複数の引掛り部に係脱可能な他の引掛り部を有する第２鞘管ガイドと、
を具備し、
前記複数の引掛り部が夫々異なる前記壁の厚みに対応して設けられていて、この引掛り部と前記第２鞘管ガイドが有した他の引掛り部との前記設置穴内での引掛りにより、長さを延ばすか縮めることで前記壁の厚みに適合する長さを得て前記第１、第２の鞘管ガイドが連結されることを特徴とする壁貫通配管の壁通し具。
【請求項２】
前記第２ガイド筒部の外径が前記設置穴の径に略等しく、前記設置穴と略同径のスペーサ段部を、前記第１ガイド筒部の前記第１フランジ部側の根元部外周に設けたことを特徴とする請求項１に記載の壁貫通配管の壁通し具。
【請求項３】
請求項１又は２に記載の壁通し具を使用し、その第１鞘管ガイドの第１ガイド筒部を外壁の一面側からこの外壁を斜めに貫通する設置穴に挿入するとともに前記第１鞘管ガイドの第１フランジ部を前記外壁の一面に接触させて、前記第１鞘管ガイドが前記外壁に固定されており、前記第２鞘管ガイドの第２ガイド筒部を前記外壁の他面側から前記設置穴に挿入するとともに前記第２鞘管ガイドの第２フランジ部を前記外壁の他面に接触させて、前記第２鞘管ガイドが前記外壁に固定され、かつ、前記設置穴内で互いに嵌合された前記第１、第２のガイド筒部がそれらの引掛り部の引掛りで連結されており、前記第１、第２のガイド筒部にそれらの傾き方向に鞘管が通されてこの鞘管が前記外壁に対して途切れることなく斜めに貫通されているとともに、前記外壁を貫通する配管が曲がることなく前記鞘管に通されていることを特徴とする壁貫通配管の壁貫通構造。
【請求項４】
前記外壁の屋外側に面に固定されたフランジ部とその周囲の壁面との間に止水処理が施されていることを特徴とする請求項３に記載の壁貫通配管の壁貫通構造。
【発明の詳細な説明】
【技術分野】
【０００１】
本発明は、例えば一戸建住宅等の屋外に設置される給湯器等の屋外機器から延びる送液用の配管等を、屋外と屋内とを仕切る外壁等を貫通して配設するための壁貫通配管の壁貫通構造及び壁貫通配管の壁通し具に関する。
【背景技術】
【０００２】
従来、住宅の屋外に設置される給湯器に接続される配管を屋内へ引き込む技術が知られている（例えば特許文献１参照。）。
【０００３】
この従来技術は、壁に通孔（設置穴）を設け、この通孔に屋外側から固定具を取付け、鞘管と、この鞘管の中に通される配管とからなる給湯管の一端を室内側の分配器（ヘッダー）に取付け、配管のみを固定具に通して屋外側の給湯器に取付けるものである。
【０００４】
この際、壁に固定具を取付け、分配器（ヘッダー）から固定具までは配管と鞘管とからなる給湯管を配設し、固定具の位置で鞘管を切断し、この切断された端部を固定具に当接させ、固定具の屋外側に斜め上向きに突出する止水部材に配管を通すことによって、この配管のみを壁に貫通させ、この配管の中間部を固定具に固定しており、屋外側に引き出された配管は給湯器に取付けられている。
【特許文献１】特開平９−１０５４８２号公報（図３）
【発明の開示】
【発明が解決しようとする課題】
【０００５】
前記従来技術は壁に対して配管を斜めに貫通させるので、この配管を壁の内外面に沿わす場合に配管への負荷が少なく、且つ、屋外側から配管を挿脱して更新できる点で優れている。
【０００６】
しかし、壁に対して屋外側に突出する斜状の止水部材とこれとは別の鞘管とは結合されていないので、これら止水部材と鞘管とに配管を通すときに鞘管又は止水部材の端部に配管の先端が当たって通しづらいと共に、屋外側から配管を通すときに鞘管が配管によって押し動かされ易いので、配管を通す作業性がよくないという問題がある。
【０００７】
又、前記従来技術において配管を屋外側に引き出す際に、その引き出し力が屋外側の固定具に作用するから、この力が壁への固定具の固定箇所に集中して、固定具が外れたり、あるいは固定具と壁との間の防水性が損なわれるおそれがある。
【０００８】
本発明が解決しようとする課題は、厚みの異なる壁への設置性を向上でき、しかも、壁に鞘管を無理に曲げることなく貫通させて壁に沿わせて配設できて、この鞘管内に通される配管も無理に曲げることなく配設できると共に、配管の出し入れに拘わらず壁への鞘管の設置状況を確実に保持できる壁貫通配管の壁貫通構造及び壁貫通配管の壁通し具を得ることにある。
【課題を解決するための手段】
【０００９】
請求項１の発明に係る壁貫通配管の壁通し具は、斜めに貫通する設置穴が開けられた壁の厚みより短く前記設置穴の径より小さい円筒からなり前記設置穴に挿入されるとともに弾性変形が可能な第１ガイド筒部、この筒部の一端部外周に外側に張り出して設けられ前記壁の一面に固定される第１フランジ部、及び前記第１ガイド筒部の外周面にこの筒部の軸方向に間隔的に設けられるとともに前記第１ガイド筒部の周方向に連続する断面三角形状の突条からなる複数の引掛り部を有する第１鞘管ガイドと、前記第１ガイド筒部より大径で前記壁の厚みより短い円筒からなり前記設置穴に挿入されて前記第１ガイド筒部に嵌合するとともに弾性変形が可能な第２ガイド筒部、この筒部の一端部外周に外側に張り出して設けられ前記壁の他面に固定される第２フランジ部、及び前記第２ガイド筒部の先端部内周面にこの筒部の周方向に連続して設けられるとともに断面三角形状の突条からなり前記複数の引掛り部に係脱可能な他の引掛り部を有する第２鞘管ガイドと、を具備し、前記複数の引掛り部が夫々異なる前記壁の厚みに対応して設けられていて、この引掛り部と前記第２鞘管ガイドが有した他の引掛り部との前記設置穴内での引掛りにより、長さを延ばすか縮めることで前記壁の厚みに適合する長さを得て前記第１、第２の鞘管ガイドが連結されることを特徴とする。
【００１０】
この請求項１に記載の壁貫通配管の壁通し具においては、前記第２ガイド筒部の外径が前記設置穴の径に略等しく、前記設置穴と略同径のスペーサ段部を、前記第１ガイド筒部の前記第１フランジ部側の根元部外周に設けることが好ましい。
【００１１】
請求項３の発明に係る壁貫通配管の壁貫通構造は、請求項１又は２に記載の壁通し具を使用し、その第１鞘管ガイドの第１ガイド筒部を外壁の一面側からこの外壁を斜めに貫通する設置穴に挿入するとともに前記第１鞘管ガイドの第１フランジ部を前記外壁の一面に接触させて、前記第１鞘管ガイドが前記外壁に固定されており、前記第２鞘管ガイドの第２ガイド筒部を前記外壁の他面側から前記設置穴に挿入するとともに前記第２鞘管ガイドの第２フランジ部を前記外壁の他面に接触させて、前記第２鞘管ガイドが前記外壁に固定され、かつ、前記設置穴内で互いに嵌合された前記第１、第２のガイド筒部がそれらの引掛り部の引掛りで連結されており、前記第１、第２のガイド筒部にそれらの傾き方向に鞘管が通されてこの鞘管が前記外壁に対して途切れることなく斜めに貫通されているとともに、前記外壁を貫通する配管が曲がることなく前記鞘管に通されていることを特徴とする。
【００１２】
この請求項３の発明の壁貫通配管の壁貫通構造においては、前記外壁の屋外側に面に固定されたフランジ部とその周囲の壁面との間に止水処理が施されていることが好ましい。
【発明の効果】
【００１３】
請求項１〜４の発明に係る壁貫通配管の壁通し具又は壁貫通配管の壁貫通構造によれば、第１、第２の鞘管ガイドに設けられて壁の設置穴内で互いに嵌合しかつ連結された斜めの第１、第２のガイド筒部に鞘管を通して、この鞘管を壁に対して斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。さらに、壁通し具は壁を挟む第１フランジ部と第２フランジ部とを有していて、これらで鞘管の挿通時や配管の出し入れ時等に加わる操作力を壁で支持させるため、壁から不用意に外れる恐れや、壁と前記第１、第２両フランジ部との間が緩むおそれを低くできる。
【００１４】
しかも、第２ガイド筒部に設けられた他の引掛り部が、壁の厚みに適合して第１ガイド筒部に設けられた複数の引掛り部に引掛って、第１、第２ガイド筒部が連結されることにより壁貫通配管の長さを延ばすか縮めることで、壁を挟む第１、第２フランジ部間の距離を変化させて壁への取付けができるので、第１、第２筒部の長さが異なる何種類もの壁貫通配管の壁通し具を用意する必要がなく、壁の厚みのばらつき等を吸収して用いることができる。
【発明を実施するための最良の形態】
【００１５】
以下、図１〜図４を参照して本発明の参考例に係る壁貫通配管の壁通し具を説明する。
【００１６】
図１は参考例の壁貫通配管の壁通し具１を一戸建の建屋の外壁２の設置穴３に取付けて、配管４及び鞘管５を貫通させた状態を示す断面図である。
【００１７】
図２（ａ）及び（ｂ）に示すように、この壁通し具１は第１壁通し部材６と第２壁通し部材７と連結手段とからなる。
【００１８】
合成樹脂製の第１壁通し部材６は、住宅の壁としての外壁２の厚み方向両面に夫々開放されていると共に上下方向に長い小判形をなして設けられた設置穴３に、屋外側から嵌め込む第１筒部８と、この第１筒部８と一体に形成されて外側に張り出し、設置穴３の屋外側縁部と引掛かり合う第１フランジ部１０と、第１筒部８の例えば屋外側端部に一体に形成されて第１筒部８の内側を閉じる閉塞部１２と、この閉塞部１２の下部に一体に形成されて屋内側から屋外側にかけて斜めに貫通する円筒形をなした鞘管ガイド１３とから構成される。なお、前記設置穴３は、外壁２に対して直交する方向に沿って、前記外壁２を貫通している。
【００１９】
鞘管ガイド１３はその屋内側端部が屋外側端部よりも上側に位置するように斜めに設けられ、したがって閉塞部１２の一端部から斜め下向きに突設されている。さらに、鞘管ガイド１３は後述する鞘管５を挿通できるように鞘管５よりやや大径となっている。使用状態において鞘管ガイド１３の屋内側端部は図３に示されるように設置穴３内に位置される。
【００２０】
周方向に連続すると共に例えば閉塞部１２と面一に連続した第１フランジ部１０の外壁２側には、第１壁通し部材６を設置穴３に設置したときに、第１フランジ部１０と外壁２との隙間を埋めて挟み込まれ雨水等の設置穴３への浸入を防止するための止水パッキン１４ａが設けられている。なお、前記隙間をコーキング処理する場合には止水パッキン１４ａは省略できる。
【００２１】
閉塞部１２には、この第１壁通し部材６と後述の第２壁通し部材７とを連結するための連結手段としてのねじ１５をねじ込むためのねじ通孔１６が第１筒部８の内側に貫通して設けられている。
【００２２】
合成樹脂製の第２壁通し部材７は、外壁２に設けられた設置穴３に、屋内側から嵌め込む第２筒部１７と、この第２筒部１７と一体に形成されて外側に張り出し、設置穴３の屋内側縁部と引掛かり合う第２フランジ部１９とからなる。周方向に連続する第２フランジ部１９の外壁２側には、第２壁通し部材７を設置穴３に設置したときに、第２フランジ部１９と外壁２との隙間を埋めて挟み込まれる止水パッキン１４ｂが設けられている。この止水パッキン１４ｂは省略してもよい。又、第２筒部１７の屋外側端部の内側には、連結手段としてのねじ１５を受け止めるためのねじ孔を有した螺合部２１が第１壁通し部材６のねじ通孔１６と対向する位置に設けられている。
【００２３】
壁通し具１が設置穴３に嵌め込まれるなどして取り付けられた際に、住宅の鉛直方向に沿う第１筒部８及び第２筒部１７の幅Ｄは、鞘管５の外径ｄの約２から３倍以上の寸法に形成されている。このように、第１筒部８及び第２筒部１７の幅Ｄは、鞘管５の外径ｄより十分大きく形成されている。
【００２４】
前記壁通し具１の具体的な寸法例を挙げると、呼び径が直径１３ｍｍの配管４を呼び径が直径２８ｍｍの鞘管５に通して、厚さ７５ｍｍの外壁２を貫通させる場合、外壁２を通る配管４及び鞘管５の外壁２に対する挿入角度が４５°となるように鞘管ガイド１３を閉塞部１２に対して設ける。又、このとき、設置穴３の口径の最も長い方向は長さ１５０ｍｍ以上が望ましい。又、図３に示すように、鞘管ガイド１３は鞘管５が貫通する際に接触する方向にのみ開口部があれば良く、正面から見て開口部は楕円形状でも構わない。この場合、配設に必要な壁裏空間２４は幅７０ｍｍ以上とする。
【００２５】
次に、外壁２への壁貫通配管の壁通し具１の取付け作業を説明する。
【００２６】
外壁２には予め前記第１、第２筒部８、１７の大きさに合わせた設置穴３が、屋外側と屋内側とを連通して外壁２に対して直交する方向に沿って貫通して開けられている。まず、第１壁通し部材６を取付ける。第１壁通し部材６の第１筒部８を設置穴３の屋外側から屋内側へ向かって、第１フランジ部１０が設置穴３の屋外側縁部に引掛かって止まるまで嵌め込む。このとき、第１フランジ部１０と外壁２の屋外側との隙間は、第１フランジ部１０の壁側に設けられた止水パッキン１４ａによって隙間無く塞がれる。
【００２７】
次に、第２壁通し部材７を取付ける。第１壁通し部材６とは反対に、第２壁通し部材７の第２筒部１７を設置穴３の屋内側から屋外側へ向かって、第２フランジ部１９が設置穴３の屋内側縁部に引掛かって止まるまで嵌め込む。それにより、設置穴３内で第１筒部８の屋内側端部と第２筒部１７の屋外側端部とが接近する。このとき、前述の第１壁通し部材６の場合と同様に、第２フランジ部１９と外壁２の屋内側との隙間は、第２フランジ部１９の壁側に設けられた止水パッキン１４ｂによって隙間無く塞がれる。
【００２８】
この後、第１壁通し部材６の閉塞部１２のねじ通孔１６を通して、屋外側からねじ１５を第２壁通し部材７の螺合部２１にねじ込むことで、第１壁通し部材６と第２壁通し部材７とを連結すると共に、止水パッキン１４ａ、１４ｂが外壁２の内外両壁面に夫々圧接される。以上で外壁２の設置穴３への壁貫通配管の壁通し具１の取付けが終了する。
【００２９】
この参考例の壁貫通配管の壁通し具１は第１壁通し部材６と第２壁通し部材７とをねじ１５により連結しているだけなので、将来この壁貫通配管の壁通し具１を取り外す必要が生じたときには、ねじ１５を緩めて外すだけで、外壁２の設置穴３からこの壁貫通配管の壁通し具１を取り外すことができる。
【００３０】
次に、例えば給湯又は給水のための送液用の配管４及び鞘管５を、前述のようにして外壁２の設置穴３に取付けた壁貫通配管の壁通し具１に通す配設作業を説明する。配管４は架橋ポリエチレン管であって可撓性を有し、この配管４が通される鞘管５は配管４よりも硬質な合成樹脂製ではあるが、可撓性に優れた波付け管が採用されている。
【００３１】
鞘管５は、例えば屋外から屋内へと通される。すなわち、鞘管５の一端を第１壁通し部材６の鞘管ガイド１３に屋外側から斜め上向きに通していく。図３及び図４（ａ）、（ｂ）に示されるように、鞘管ガイド１３はこの屋内側端部が屋外側端部よりも上側に在るように閉塞部１２を斜めに貫通して設けられているため、鞘管ガイド１３を通して屋外から屋内へと通された鞘管５は、壁通し具１をその第２壁通し部材１６に引掛かることなく斜め上向きに通り抜けて外壁２の屋内側壁面に沿って上方へと押し込まれるから、図１に示されるように、外壁２と部屋の内装板２３とによって作られる幅の狭い壁裏空間２４や、部屋の天井２５の上の屋根裏空間２６にも無理に折り曲げられて座屈変形を起こすことなく配設できる。配設し終わった鞘管５は、外壁２等に適当な間隔に取付けられるＵ字形をなしたサドル２７等を用いてずれ落ちないように固定される。
【００３２】
次に、壁通し具１を斜めに貫通して鞘管ガイド１３に中間部が支持された鞘管５に対して、屋外より配管４を斜め上向きに挿入することによって、この配管４を鞘管５に沿わせて配設する。鞘管５は無理に折り曲げられることなく既に必要とされる所定の位置まで配設されているので、配管４は、無理に折り曲げられて座屈変形を起こすことなく鞘管５の内部を通って所定の位置まで案内される。鞘管５の配設及び固定作業の終了後に、図３に示すように、鞘管ガイド１３の屋外側の開口部において、コーキング材２８による止水処理を施して鞘管５と開口部との隙間を塞ぐ。この止水処理によって、鞘管ガイド１３を通して屋外から屋内へ雨水等が浸入するおそれを極めて低くできる。なお、コーキング処理に代えて鞘管ガイド１３と鞘管５との間にＯリングを挟んでもよく、又、これら両止水処理を兼用してもよい。
【００３３】
又、屋外側の鞘管５の他端は外壁２の屋外側に設置されたシステムアジャスタ支え２９によって支持されたシステムアジャスタ３０に接続される。配管４が通るシステムアジャスタ３０は伸縮自在の蛇腹部３１を有しており、鞘管５の屋外に露出している部分の長さに適合した高さに伸び縮みできる。又、システムアジャスタ３０の下端を受けるピン付オスアダプタ３３には継手３２を介して配管４が接続されている。このアダプタ３３は屋外に設置された給湯器３４に連結されていて、給湯器３４の温水等が導かれる。
【００３４】
以上、説明した壁貫通配管の壁通し具１を用いた配管４及び鞘管５の配設作業によれば、外壁２に対して斜めに設けられた鞘管ガイド１３に鞘管５を通すことで、外壁２の壁面に沿うように鞘管５を屋内へと配設する。第１筒部８及び第２筒部１７の鉛直方向に沿った幅Ｄが、鞘管５の外径ｄより十分大きく形成されているので、鞘管５が無理に折り曲げられて座屈変形を起さない十分に広い空間Ｓを、第１筒部８及び第２筒部１７内に確保できる。また、外壁２に対して斜めに設けられた鞘管ガイド１３に鞘管５を通すことで、外壁２の壁面に沿うように鞘管５を屋内へと配設できる。
【００３５】
したがって、外壁２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００３６】
又、壁貫通配管の壁通し具１の位置において鞘管５は途切れることなく屋外から屋内へと連続して配設されている。このため、屋内で配管４から水が漏れ出しても鞘管５の内部を伝わって屋外へと排出されるので、屋内への浸水のおそれが低い。しかも、鞘管５及び配管４が外壁２を貫通しており、配管４に対する継手部分は外壁２の屋外側にあるので、漏水し易い継手部分からの漏水があっても屋内への浸水のおそれがない。
【００３７】
又、鞘管ガイド１３はこの屋内側が屋外側よりも上側に位置するように閉塞部１２を斜めに貫通して設けられているので、雨水等が斜め下向きの鞘管ガイド１３を通って屋外から屋内へと浸入するおそれが殆どない。加えて、この鞘管ガイド１３の屋外側の開口部にコーキング材２８等による止水処理を施して鞘管５と開口部との隙間を塞いだので、より一層のこと浸水のおそれがない。
【００３８】
又、第１、第２フランジ部１０、１９及びそれらに夫々設けられた止水パッキン１４ａ、１４ｂによって、外壁２の両側から設置穴３を隙間なく挟み込むサンドイッチ構造をとっているので、簡単に止水処理ができると共に、設置穴３と壁通し具１との間の埋め戻し作業等の閉栓処理も不要にでき、施工性がよい。
【００３９】
又、設置穴３への壁通し具１の取付け作業と、屋内における配管４及び鞘管５の配設作業の順序はどちらが先でも構わない。又、プレハブ住宅の場合には壁通し具１を外壁２に予め取付けておくことができるから、その場合には建築現場での壁通し具１の取付けが不要であり、容易に配設作業を行うことができる。
【００４０】
又、壁通し具１は正面から見た形状が上下方向に沿って長い小判形となっていて小型であるため、外壁２に設けられた設置穴３も正面から見た形状を同様の小判形とできるので、大きな円形の穴を外壁２に設ける必要がなく、設置穴３を設けることによる外壁２の強度の低下を抑制できる。
【００４１】
次に、図５〜図７を参照して本発明の一実施の形態に係る壁貫通配管の壁通し具８１を説明する。なお、以下説明する壁通し具８１及び壁の設置穴８３以外は、図５〜図７に示されない部分を含めて前記参考例と同じであるから、鞘管及び配管等の同一部分についての説明は、参考例と同じ符号を付してその説明を省略し、異なる部分についてのみ説明する。
【００４２】
この一実施形態に係る壁通し具８１が設置される住宅の壁、本実施形態の場合にはプレハブ工法により作られる住宅の外装パネル（外壁）８２の所定位置には斜めに貫通する断面円形の設置穴８３が開けられている。この穴８３は屋内側から屋外側に行くにしたがって次第に下がるように傾斜しており、その壁貫通角度θは４５°である。壁通し具８１は、第１、第２の鞘管ガイド８４、８５と、第１引掛り部（他の引掛り部）８６と、複数の第２引掛り部（複数の引掛り部）８７〜８９とを具備している。
【００４３】
金属又は硬質合成樹脂製の第１鞘管ガイド８４は、外装パネル８２の厚みよりも短い円筒からなるガイド筒部（第１ガイド筒部）８４ａの一端部外周に、周方向に連続して円形をなす（図６参照）フランジ部（第１フランジ部）８４ｂを一体に設けて形成されている。ガイド筒部８４ａの外径は設置穴８３の径よりも小さい。フランジ部８４ｂはガイド筒部８４ａの軸線に対して交差する方向に沿って外側に張り出して設けられており、その複数箇所には図示しないねじ通し穴が開けられている。
【００４４】
同様に、金属又は硬質合成樹脂製の第２鞘管ガイド８５も、外装パネル８２の厚みよりも短い円筒からなるガイド筒部（第２ガイド筒部）８５ａの一端部外周に、周方向に連続して円形をなす（図７参照）フランジ部（第２フランジ部）８５ｂを一体に設けて形成されている。ガイド筒部８５ａは、前記ガイド筒部８４ａよりも大径であるとともに、その外径は設置穴８３の径に略等しく、又、ガイド筒部８５ａの先端部内周面にはテーパ面が設けられている。前記両ガイド筒部８４ａ、８５ａは設置穴８３内において互いに嵌合されるようになっている。フランジ部８５ｂはガイド筒部８５ａの軸線に対して交差する方向に沿って外側に張り出して設けられており、その複数箇所には図示しないねじ通し穴が開けられている。
【００４５】
第１引掛り部８６は、第１鞘管ガイド８４に対する第２鞘管ガイド８５の嵌合部、つまり、ガイド筒部８５ａの端部内周面に、その周方向に連続して一体に設けられており、断面三角形状の突条により形成されている。この第１引掛り部８６に係脱可能な複数の第２引掛り部８７〜８９は、第２鞘管ガイド８５に対する第１鞘管ガイド８４の嵌合部、つまり、ガイド筒部８４ａの外周面に、その周方向に連続して一体に設けられており、断面三角形状の突条により形成されている。各第２引掛り部８７〜８９はガイド筒部８４ａの軸方向に互いに離間して間隔的に設けられている。
【００４６】
これら第２引掛り部８７〜８９は、外装パネル８２の厚みに対応して設けられており、それが第１引掛り部８６に引掛った時に、それに応じた両鞘管ガイド８４、８５の嵌合深さを得て異なる厚みの外装パネル８２の夫々適合して壁通し具８１が組立てられるようになっている。
【００４７】
つまり、プレハブ住宅の外装パネル８２には厚みが異なる数種類のものが用意されていて、その中からいずれかが選択して使用されるものであり、最大厚さ（例えば１００ｍｍ）の外装パネル８２への適用においては、図５のように第１引掛り部８６と第２引掛り部８９とを引掛けることにより壁通し具８１の長さを延ばして適合させ、最小厚さ（例えば７５ｍｍ）の外装パネル８２への適用においては、第１引掛り部８６と第２引掛り部８７とを引掛けることにより壁通し具８１の長さを縮めて適合させ、又、これらの中間厚さの外装パネル８２への適用においては、第１引掛り部８６と第２引掛り部８８とを引掛けることにより壁通し具８１の長さを適合させることができる。すなわち、本実施形態に係る壁通し具８１は厚みの異なる種々の外装パネル８２への設置に容易に適合できる。
【００４８】
第１、第２引掛り部を断面三角形状の突条としたので、それらの斜面によって第１、第２引掛り部の係脱が円滑であるだけではなく、両ガイド筒部８４ａ、８５ａの嵌合における抵抗を引掛り部の係合位置だけに制限できる点で優れている。なお、これらの係脱に際しては両ガイド筒部８４ａ、８５ａが多少の弾性変形を伴う。
【００４９】
次に、前記構成の壁貫通配管の壁通し具８１を用いた配管４及び鞘管５の配設作業を説明する。まず、外装パネル８２に壁通し具８１を設置する手順を説明する。
【００５０】
フランジ部８４ｂがない方のガイド筒部８４ａの端部を先頭にして第１鞘管ガイド８４を、外装パネル８２の屋内側から設置穴８３に挿入させる。この挿入はフランジ部８４ｂが外装パネル８２の内壁面において設置穴８３の穴縁に引っ掛るまで行われ、それにより、ガイド筒部８４ａは屋内側から屋外側に行くにしたがって外装パネル８２を斜め下向きとなる姿勢で設置穴８３内に収容される。この状態で、フランジ部８４ｂの図示しないねじ通し穴に通されて外装パネル８２にねじ込まれるねじ９０を夫々締付けて、第１鞘管ガイド８４を外装パネル８２に固定する。この設置状態において、ガイド筒部８４ａの外周面と設置穴８３の内周面とは接触しておらず、これらの間には図５に示されるように空隙ｇが設けられる。
【００５１】
なお、本実施形態の構成に加えて、ガイド筒部８４ａのフランジ部８４ｂ側の根元部外周に設置穴８３と略同径のスペーサ段部を周方向に連続或いは非連続に設けて実施する場合には、この段部によって設置穴８３の径方向に対するガイド筒部８４ａの位置決めができる。そのため、ガイド筒部８４ａを設置穴８３に対する同軸度を簡単に出して外装パネル８２の第１鞘管ガイド８４を固定できる点で優れるとともに、次に述べる第２鞘管ガイド８５との嵌合においても両ガイド筒部８４ａ、８５ａの先端同士が互いに当るような相互干渉を防止できるので、壁通し具８１の設置作業性を容易にできる点でも優れる。
【００５２】
次に、外装パネル８２の屋外側から第２鞘管ガイド８５を、フランジ部８５ｂがない方のガイド筒部８５ａの端部を先頭にして設置穴８３にその内周面に沿わせながら挿入させる。この挿入はフランジ部８５ｂが外装パネル８２の外壁面において設置穴８３の穴縁に引っ掛るまで行われ、それにより、ガイド筒部８５ａは外装パネル８２を屋外側から屋内側に行くにしたがって斜め上向きとなる姿勢で設置穴８３内に収容される。
【００５３】
このとき、ガイド筒部８５ａが、前記ガイド筒部８４ａの外周面と設置穴８３の内周面と間の空隙ｇに挿入されて、ガイド筒部８４ａの外側に嵌合される。同時に、この筒部８５ａに設けられた第１引掛り部８６が、外装パネル８２の厚みに適合した位置の第２引掛り部例えば第２引掛り部８９を、節度感を伴いながら乗り越えて、これに引掛かる（図５参照）。これらの引掛り部８６、８９の係合により第２鞘管ガイド８５は第１鞘管ガイド８４に連結されるから、以上の挿入作業を終えて第２鞘管ガイド８５から手を離しても、このガイド８５が斜め下方に脱落することがない。
【００５４】
そして、このように両鞘管ガイド８４、８５が連結された状態で、第２鞘管ガイド８５のフランジ部８５ｂの図示しないねじ通し穴に通されて外装パネル８２にねじ込まれるねじ９１を夫々締付けて、第２鞘管ガイド８５を外装パネル８２に固定する。この場合、既述のように第２鞘管ガイド８５が脱落しないように第１鞘管ガイド８４に支持されているので、ねじ９１の締め付け作業において第２鞘管ガイド８５の脱落を片手で阻止しつつ作業を行なう面倒がないので、容易にねじ止めすることができる。
【００５５】
最後に、図５及び図６に示されるようにフランジ部８５ｂとその周囲の外装パネル８２の外壁面とにわたってコーキング材９２を設けて止水処理をする。それにより設置穴８３と第２鞘管ガイド８５との間への屋外からの浸水を防止できる。なお、この止水処理に代えて、フランジ部８５ｂと外装パネル８２の外面との間に止水パッキンを接着することもできる。
【００５６】
以上の手順により、フランジ部８４ｂ、８５ａ間に外装パネル８２を挟んだ状態で外装パネル８２を斜めに貫通して壁通し具８１が設置される。
【００５７】
この後には、互いに連結された外装パネル８２を斜めに貫通した第１、第２鞘管ガイド８４、８５を備えた壁通し具８１の互いに連続するガイド筒部８４ａ、８５ａに外装パネル８２の例えば内壁面側から鞘管５を通して、この鞘管５を外装パネル８２に対して斜めに貫通させた後、この鞘管５内に外装パネル８２の外面側から配管４を挿入することにより、鞘管５内を通して所定の場所に配管４を導いて配設する。
【００５８】
この場合、第１鞘管ガイド８４のガイド筒部８４ａが第２鞘管ガイド８５のガイド筒部８５ａの内側に嵌合されているから、屋内側から鞘管５を壁通し具８１を貫通する鞘管５が、ガイド筒部８５ａの先端に引掛る恐れがなく、したがって、鞘管５の挿通作業性がよい。この設置状態において、屋外側の鞘管ガイド８５と鞘管５との間の止水を行なう場合には、これらにわたって図示しないコーキング材を充填することで行なえばよい。
【００５９】
なお、以上の点以外の接続作業等は前記参考例と同じである。又、プレハブ住宅の外装パネル８２に対してはその生産段階で予め壁通し具８１を装着して置くことができるので、このようにして建築現場に供給する場合には、建築現場では壁通し具８１を外装パネル８２に設置する作業を要することがなくなり、したがって、建築現場での鞘管５及び配管４の配設作業を速やかに開始することができる。
【００６０】
以上説明した壁貫通配管の壁通し具８１を用いた配管４及び鞘管５の配設作業によれば、外装パネル８２を斜めに貫通して設けられた壁通し具８１に鞘管５を通すことで、外装パネル８２の内壁面に沿うように鞘管５を屋内へと配設でき、外装パネル８２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００６１】
しかも、前記壁通し具８１の採用により、鞘管５を外装パネル８２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル８２を貫通した配管４に対する継手部分は外装パネル８２の屋外側にあるので、漏水し易い前記継手部分からの漏水があっても屋内へ浸水するおそれがない。
【００６２】
又、屋外側の第２鞘管ガイド８５は屋外側に向けて斜めに下がるように傾斜して外装パネル８２をねじ止めされているので、雨水等が斜めの壁通し具８１内のガイド筒部８４ａ、８５ａを通って屋外から屋内へと浸入するおそれが殆どない。
【００６３】
更に、この壁通し具８１は、第１、第２の鞘管ガイド８４、８５のフランジ部８４ｂ、８５ｂで、外装パネル８２を厚み方向から挟み込むサンドイッチ構造をとっているので、設置穴８３と壁通し具８１のガイド筒部８４ａ、８５ａとの間の埋め戻し作業等の閉栓処理も不要にでき、施工性がよい。その上、前記サンドイッチ構造により、鞘管ガイド８４、８５に新規に配管４を通すときは勿論のこと、老朽化した配管４を新品の配管と交換するときにおいても、配管４や鞘管５を壁通し具８１に通す際等に加わる操作力を、配管４等を押し込んだり、引き出したりする操作方向の上流側において外装パネル８２に引掛かっているフランジ部８４ｂ又は８５ｂに波及させて外装パネル８２で分散して支持できる。よって、壁通し具８１が外装パネル８２から不用意に外れたり、外装パネル８２とこれを挟んだフランジ部８４ｂ又は８５ｂとの接合が緩むことがなく、したがって、防水性が損なわれるおそれを低くできる。
【００６４】
又、前記構成の壁通し具８１の採用により、大きな円形の穴を外装パネル８２に設ける必要がなく、斜めの設置穴８３を設けることに伴う外装パネル８２の強度の低下を抑制できる。しかも、この一実施形態に係る壁通し具８１は、その構成部品が二つで済むので、構造が簡単であり、安価に提供できるとともに、その外装パネル８２への固定も通常のねじ止め作業により容易に行なうことができる。なお、この一実施形態において、フランジ部８４ｂ、８５ｂを外装パネル８２に固定する手段は、ねじ止めに代えて、接着剤や両面接着テープ等の接着手段を用いてもよいものである。
【００６５】
なお、本発明は前記一実施の形態には制約されない。例えば、一実施形態において壁貫通配管の壁通し具を住宅の外壁へ取付けるにあたって、ねじによって前記外壁に直接穴を開けられるのを嫌う場合には、防水効果の高い接着剤等を用いて前記外壁に設けられた設置穴に直接取付けても構わない。
【００６６】
又、配管及び鞘管の配設も、前述のように住宅の外壁を貫通させて屋外から屋内へと引き込むばかりではなく、その逆に屋内から屋外へと引き出しても差し支えない。
【００６７】
又、本発明の壁貫通配管の壁通し具を用いて住宅の外壁を貫通させて屋外と屋内とにわたって配設するものは、給湯器等から延ばされる送液管に限らず、例えば、電話線などの通信系ケーブル、電線などの電力系ケーブル等であってもよい。この場合、鞘管を作る材料もこの内部に通して配設する管や線に合わせて、防電磁波能力に優れたもの等、様々な材料を使い分けることが望ましい。
【図面の簡単な説明】
【００６８】
【図１】本発明の参考例に係る壁貫通配管の壁通し具を外壁に取付けて配設した状態を示す断面図。
【図２】（ａ）は本発明の参考例に係る壁通し具を分解して示す斜視図。  （ｂ）は本発明の参考例に係る壁通し具を組み立てた状態を示す斜視図。
【図３】図１に示した状態の壁貫通配管のＡ部を拡大した断面図。
【図４】（ａ）は鞘管が通された参考例の壁通し具を示す正面図。  （ｂ）は鞘管が通された参考例の壁通し具を示す裏面図。
【図５】本発明の一実施の形態に係る壁貫通配管用の壁通し具の使用状態を示す前記図３相当の断面図。
【図６】一実施の形態に係る壁通し具を図５中矢印Ｘ方向から見て示す図。
【図７】一実施の形態に係る壁通し具を図５中矢印Ｗ方向から見て示す図。
【符号の説明】
【００６９】
４…配管、
５…鞘管、
８１…壁貫通配管の壁通し具、
８２…外壁（壁）、
８３…設置穴、
８４…第１鞘管ガイド、
８４ａ…第１ガイド筒部、
８４ｂ…第１フランジ部、
８５…第２鞘管ガイド、
８５ａ…第２ガイド筒部、
８５ｂ…第２フランジ部、
８６…第１引掛り部（他の引掛り部）、
８７〜８９…第２引掛り部、
９０，９１…ねじ、
９２…コーキング材（止水処理）
【図１】
0004369913.tif 000002
【図２】
0004369913.tif 000003
【図３】
0004369913.tif 000004
【図４】
0004369913.tif 000005
【図５】
0004369913.tif 000006
【図６】
0004369913.tif 000007
【図７】
0004369913.tif 000008